(57)【要約】【課題】  外光による照明とバックライトによる照明とが頻繁に切り替わらない撮影装置を提供する  。【解決手段】  液晶パネル１３は、外光と、バックライト用の光源である白色ＬＥＤ４８からの放射光とによって照明される。輝度センサ５３からの明度データを基にしてＣＰＵ３７で外光の明るさが測定される。測定された外光の明るさがＣＰＵ３７によって第１の閾値以上か、あるいは第１の閾値よりも小さな第２の閾値未満であるかが判定される。外光の明るさが第１の閾値以上であると判定された場合にはそれまで点灯していた白色ＬＥＤ４８を消灯させ、外光の明るさが第２の閾値未満であると判定された場合にはそれまで消灯していた白色ＬＥＤ４８を点灯させる。また、第１の閾値未満かつ第２の閾値以上であると判定されたときには既に点灯している白色ＬＥＤ４８を継続して用いる。【選択図】        図２
2005130325.tif 000002
【特許請求の範囲】
【請求項１】
撮影時の被写体画像又は記録済みの画像データによる再生画像を表示する液晶ディスプレイを備え、内蔵光源と外光とのいずれかを選択して液晶ディスプレイのバックライトに用いられるようにした撮影装置において、
外光の明るさを測定する外光測定手段と、
外光測定手段で測定した外光の明るさが第１の閾値以上であるか、または第１の閾値よりも小さい第２の閾値未満であるかを判定する外光判定手段と、
外光判定手段で判定された外光の明るさが、第１の閾値以上であると判定されたときには内蔵光源を消灯して外光をバックライトに切り替え、第２の閾値未満であると判定されたときには内蔵光源を点灯して内蔵光源からの光をバックライトに切り替え、かつ第１の閾値未満かつ第２の閾値以上であると判定されたときには、その判定時に選択されていたバックライトを継続して用いるバックライト制御手段と、を備えたことを特徴とする撮影装置。
【請求項２】
前記外光測定手段は一定時間ごとに外光の明るさを測定し、その測定結果に応じて外光判定手段及びバックライト制御手段が作動されることを特徴とする請求項１に記載の撮影装置。
【請求項３】
前記外光の色温度を測定する色温度測定手段と、外光がバックライトに用いられるときには測定された色温度に応じて液晶ディスプレイに表示される画像の色補正を行う色補正手段とを備えたことを特徴とする請求項１または２に記載の撮影装置。
【発明の詳細な説明】
【技術分野】
【０００１】
本発明は撮影装置に関し、さらに詳しくは内蔵光源だけでなく外光を用いて液晶パネルを背面側から照明する液晶表示器を備えた撮影装置に関するものである。
【背景技術】
【０００２】
現在、カメラ機能を搭載するとともに画像を表示する液晶パネルを備えた撮影装置の普及が進み、中には電話機能や動画撮影機能を備えたものもある。これらの撮影装置は小型化が進み、手軽に携帯することができるようになった。撮影装置には撮像素子が備えられており、撮像素子で光電変換されて生成された画像信号から画像データを形成して、ユーザは撮影で取得された画像データを液晶パネルを通して即座に確認したり、好みの画像を撮影装置に設けられた記録部に記録することができる。
【０００３】
撮影装置には利便性を高めるために透過型の液晶パネルが設けられているが、液晶パネルは自己発光することができないため、液晶パネルを照明するための内蔵光源と、内蔵光源からの光を液晶パネルへと導く導光板とが設けられ、内蔵光源からの光を用いて液晶パネルを背面側から照明していた。ところがこのような方法で液晶パネルを照明すると内蔵光源を動作させるために電力が必要となり、このため限られた電源しか備えていない撮影装置ではその使用時間が短縮してしまっていた。そこで近年は太陽光などの外光を用いて液晶パネルを照明する液晶表示器が実用化されている。特許文献１では外光をより採り入れることができ、かつ内蔵光源用の光原から放出された光を効率よく用いるために、外光を取り入れる採光部に蓋を設けた液晶表示装置が示されている。外光と内蔵光源とを併用して画像データが入力された液晶パネルを照明することにより、撮影装置の液晶表示器は従来よりも消費電力が低く、かつ暗い環境の中でも画像を表示することができた。
【０００４】
【特許文献１】特開２０００−１１５６００号公報
【発明の開示】
【発明が解決しようとする課題】
【０００５】
しかしながら、液晶パネルの照明に外光と内蔵光源とを併用する場合、輝度センサによって検知された外光の明るさが予め定められた閾値よりも大きければ内蔵光源を消灯し、外光の明るさが閾値以下であれば内蔵光源を点灯すると、検知された外光の明るさが閾値の上下間で揺動すると、これに応じて内蔵光源が点灯あるいは消灯して液晶パネルの照明具合が頻繁に変動し、このためユーザが不快に感じることがあった。
【０００６】
本発明は、上記の事情に鑑みてなされたものであり、その目的は、外光の明るさによって内蔵光源が頻繁に点灯、あるいは消灯することを防止し、かつ外光を照明光として用いる場合に液晶パネル上に良好な画像を再現する撮影装置を提供することにある。
【課題を解決するための手段】
【０００７】
上記目的を達成するために、本発明の撮影装置では、撮影時の被写体画像又は記録済みの画像データによる再生画像を表示する液晶ディスプレイを備え、内蔵光源と外光とのいずれかを選択して液晶ディスプレイの内蔵光源に用いられるようにした撮影装置において、外光の明るさを測定する外光測定手段と、外光測定手段で測定した外光の明るさが第１の閾値以上であるか、または第１の閾値よりも小さい第２の閾値未満であるかを判定する外光判定手段と、外光判定手段で判定された外光の明るさが、第１の閾値以上であると判定されたときには内蔵光源を消灯して外光を内蔵光源に切り替え、第２の閾値未満であると判定されたときには内蔵光源を点灯して内蔵光源からの光を内蔵光源に切り替え、かつ第１の閾値未満かつ第２の閾値以上であると判定されたときには、その判定時に選択されていた内蔵光源を継続して用いる内蔵光源制御手段と、を備えたことを特徴とする。
【０００８】
また、前記外光測定手段は一定時間ごとに外光の明るさを測定し、その測定結果に応じて外光判定手段及び内蔵光源制御手段が作動されることを特徴とする。
【０００９】
また、前記外光の色温度を測定する色温度測定手段と、外光が内蔵光源に用いられるときには測定された色温度に応じて液晶ディスプレイに表示される画像の色補正を行う色補正手段とを備えたことを特徴とする。
【発明の効果】
【００１０】
本発明の撮影装置によれば、外光の明るさを測定する外光測定手段と、外光測定手段で測定した外光の明るさが第１の閾値以上であるか、または第１の閾値よりも小さい第２の閾値未満であるかを判定する外光判定手段と、外光判定手段で判定された外光の明るさが、第１の閾値以上であると判定されたときには内蔵光源を消灯して外光を内蔵光源に切り替え、第２の閾値未満であると判定されたときには内蔵光源を点灯して内蔵光源からの光を内蔵光源に切り替え、かつ第１の閾値未満かつ第２の閾値以上であると判定されたときには、その判定時に選択されていた内蔵光源を継続して用いる内蔵光源制御手段と、を備えたことにより、外光の明るさがどちらか一方の閾値の上下間で揺動したとしても内蔵光源が繰り返し切り替わることはなく、液晶パネルの照明状態をより安定させることができる。
【００１１】
また、外光の色温度を測定する色温度測定手段と、外光が内蔵光源に用いられるときには測定された色温度に応じて液晶ディスプレイに表示される画像の色補正を行う色補正手段とを備えたことにより、内蔵光源の種類によらず適正なカラーバランスで画像を表示することができる。
【発明を実施するための最良の形態】
【００１２】
図１（ａ）に本発明を実施したデジタルカメラの外観を示す。デジタルカメラ２の前面には、レンズ鏡筒４に保持された撮影レンズ５が露出し、ストロボ光を投光するストロボ発光部７、及び被写体と対面するファインダ対物窓８が設けられている。デジタルカメラ２の上面にはシャッタボタン１０が設けられ、シャッタボタン１０を押圧することで被写体の画像データの記録動作が開始される。
【００１３】
デジタルカメラの背面を図１（ｂ）に示す。デジタルカメラ２の上面にはファインダ接眼部１５が設けられている。デジタルカメラ２の背面にはデジタルカメラのモードを、静止画撮影モード、リプレイモード、動画撮影モードのいずれか１つに設定を切り替える切り替えスイッチ１７と、ズーム等を行なうための操作レバー２０とが備えられている。操作レバー２０の下には、液晶パネル１３に表示されたメニューの選択と実行を行なう選択／実行ボタン２２、メニューの実行をキャンセルするキャンセルボタン２４、液晶パネル１３のＯＮ／ＯＦＦを切り替える切り替えボタン２６とが設けられている。
【００１４】
図２にデジタルカメラのブロック図を示す。レンズ鏡筒４にはズーミングを行うズーム用モータと焦点調整を行うフォーカス用モータとが組み込まれており、これらのモータはモータコントローラ３０によって駆動制御されている。撮影レンズ５を通して被写体がＣＣＤイメージセンサ３２上に結像され、ＣＣＤイメージセンサ上に結像された被写体像が画像信号に光電変換され、この画像信号がアナログ処理回路３５に入力される。
【００１５】
アナログ処理回路３５は相関二重サンプリング回路と増幅回路とＡ／Ｄ変換回路とからなり、相関二重サンプリング回路で画像信号がＣＣＤイメージセンサ３２の各セルごとのＲＧＢアナログ信号に変換される。ＲＧＢアナログ信号は増幅回路で増幅され、Ａ／Ｄ変換回路で画像データにデジタル変換されてＲＧＢデータからなる画像データが生成される。この一連の動作はデジタルシグナルプロセッサ（以下、ＤＳＰ）３６が含まれたＣＰＵ３７によって制御されており、ＣＰＵ３７は外光判定手段であるとともに内蔵光源制御手段であり、デジタルカメラの動作全般の制御を行なっている。
【００１６】
静止画撮影モードにおいてシャッタボタン１０が押下されると、Ｉ／Ｏ制御回路４０を介して信号がＣＰＵ３７に入力され、ＣＰＵ３７の命令に応答して画像データがＳＤＲＡＭ３９に蓄積される。ＳＤＲＡＭ３９に蓄積された画像データは画像処理回路４１に入力され、ここでガンマ補正、輪郭補正などの画像処理が行なわれ、画像処理が行なわれた画像データはＳＤＲＡＭ３９に一時的に記憶される。
【００１７】
ＳＤＲＡＭ３９に記憶された画像データは圧縮処理回路４３に入力されて、所定の画質モードで圧縮される。圧縮処理された画像データはメディアコントローラ４５に入力されて、デジタルカメラに装着されている記録メディア４７に記録される。
【００１８】
液晶表示器４９に備えられた液晶パネル１３は外光あるいは内蔵光源用の白色ＬＥＤ４８とを用いて照明される。液晶パネル１３の照明は、常時内蔵光源によって照明されるバックライト固定モードと、常時外光によって照明される外光固定モードと、内蔵光源と外光とが自動で切り替えられる自動切り替えモードとのいずれかに設定することができる。
【００１９】
外光による照明と白色ＬＥＤ４８による照明とが自動で切り替えられる場合、白色ＬＥＤ４８の切り替えは輝度センサ５３から入力される外光の明度データを基にしてＣＰＵ３７が行う。外光の明るさの測定、及び測定された外光の明るさの判定は、タイマ回路５７から入力されるクロック信号を基にして、所定の周期、例えば数十秒ごとにＣＰＵ３７で行われるようになっている。
【００２０】
静止画撮影モードあるいは動画撮影モードにおいて液晶パネル１３がＯＮ状態であって外光によって照明する場合、画像データがＳＤＲＡＭ３９に蓄積され、この画像データから液晶表示用画像データ（以降、ＬＣＤ用画像データと省略する）が所定のプログラムに従って形成される。ＬＣＤ用画像データはビデオインターフェース５０を介して液晶パネル１３に入力され、液晶パネル１３にはスルー画が表示される。
【００２１】
再生モードで液晶パネル１３がＯＮ状態であって外光によって照明される場合について説明する。記録メディア４７に記録された画像データがＳＤＲＡＭ３９に一時的に読み出される。色温度検知センサ５１から外光の色温度データがＣＰＵ３７に入力され、ＣＰＵ３７では色温度データに基づいて画像データのＲＧＢ値を調節する。ＲＧＢ値が調節された画像データから形成されたＬＣＤ用画像データが表示入力手段であるビデオインターフェース５０を介して液晶パネル１３に入力され、画像データが入力された液晶パネル１３が外光によって照明される。
【００２２】
図３に液晶表示器４９を液晶パネル１３と垂直な平面で縦に切断した概略的な断面図を示す。液晶パネル１３の背面には半透過反射板６０が設けられ、そのさらに背面側には導光板６２と反射板６５とが順に設けられている。導光板６２の上端部から外光が採り入れられ、採り入れられた外光は板内を伝い、半透過反射板６０を介して液晶パネル２０全体が照明される。導光板６２の上端部付近には色温度検知センサ５１が備えられ、導光板の下端部には内蔵光源用の光源である白色ＬＥＤ４８が備えられている。
【００２３】
液晶パネル１３の照明様式を選択するメニュー画面が液晶パネル１３に表示された図を図４に示す。液晶パネル１３に表示された３つの液晶パネルの照明モードの中から液晶パネルの照明モードを選択する。ＬＣＤ外光固定モードでは液晶パネル１３は外光によって照明され、ＬＣＤバックライト固定モードでは液晶パネル１３は白色ＬＥＤ４８によって照明される。ＬＣＤ自動切り替えモードでは外光と白色ＬＥＤ４８とを使い分けて液晶パネル１３を照明する。操作レバー２０を操作して照明モードが選択されると、操作信号がＩ／Ｏ制御回路４０を介してＣＰＵ３６に入力され、所望の照明モードに設定される。
【００２４】
図５を用いて、外光の明るさが第１の閾値α以上である場合に、外光の色温度に応じて画像データのカラーバランスを補正する動作について説明する。記録メディア４７に記録された画像の中から選択された画像はＳＤＲＡＭ３９に一時的に記憶される。色温度検知センサ５１からの色温度データからＣＰＵ３７で外光の色温度が測定され、測定された色温度に基づいてＤＳＰ３６ではＳＤＲＡＭ３９から入力される画像データのＲとＢの値を変更してホワイトバランスを補正する。このときＧの値は固定されている。例えば、検知された外光の色温度が低い場合にはＲ値を下げてＢ値を上げ、また色温度が高い場合にはＢ値が下げられＲ値が上げられる。Ｒ値およびＢ値が調節されるとともに画像サイズ等も調節されてＬＣＤ用画像データはＳＤＲＡＭ３９に一時的に蓄積される。ＬＣＤ用画像データはＳＤＲＡＭ３９からビデオインターフェース５０を介して液晶パネル１３に入力される。ＬＣＤ用画像データが入力された液晶パネル１３は導光板６２から供給される外光によって照明される。
【００２５】
図６のフローチャートを用いてデジタルカメラが再生モードにセットされるとともにＬＣＤ自動切り替えモードに設定された場合について説明する。記録メディア４７に記録された画像データがＳＤＲＡＭ３９に読み出され、一時的に記憶される。輝度センサ５３からの明度データがＣＰＵ３７に入力され、入力されたデータから外光の明るさが測定される。外光の明るさが予め定められた第１の閾値α（以下、閾値α）以上であるとＣＰＵ３７で判定されると、それまで点灯していた白色ＬＥＤ４８がＣＰＵ３７の命令により消灯する。
【００２６】
白色ＬＥＤ４８が消灯すると色温度検知センサ５１から色温度データがＣＰＵ３７に入力され、これを基にしてＳＤＲＡＭ３９から入力される画像データのＲＧＢ値のうち、Ｇ値を固定してＲ値及びＢ値が調節される。液晶パネル１３にはＲＧＢ値が調節されたＬＣＤ用画像データが入力される。画像データが入力された液晶パネル１３は外光によって照明されて、外光の色温度に基づいて色調の補正された画像を表示する。
【００２７】
輝度センサ５３から入力されるデータが閾値αよりも小さな第２の閾値β（以下、閾値β）未満であるとＣＰＵ３７によって判定された場合は、ＳＤＲＡＭ３９に読み出された画像データのＲ値、及びＢ値が予め定められた値に設定されて液晶パネル１３に入力される。そしてそれまで消灯されていた白色ＬＥＤ４８がＣＰＵ３７の命令によって点灯し、ＬＣＤ用画像データが入力された液晶パネル１３が照明される。なお、ＳＤＲＡＭ３９に読み出した画像データを初めて液晶パネル１３に表示する場合であって、既に白色ＬＥＤ４８がＯＮされているときは、外光の明るさが閾値αよりも小さな場合は画像データのＲＧＢ値は予め定められた値に設定される。
【００２８】
図７のフローチャートを用いて本発明のデジタルカメラの作用について説明する。デジタルカメラが白色ＬＥＤ４８のみを用いて液晶パネル１３を照明するＬＣＤバックライト固定モードに設定された場合は、画像データが予め用意されたＲＧＢ値に設定されて液晶パネル１３に入力され、白色ＬＥＤ４８が点灯する。またデジタルカメラが外光のみを用いて液晶パネル１３が照明されるＬＣＤ外光固定モードに設定された場合は、検知された外光の色温度に基づいて画像データのＲＧＢ値が設定されてＬＣＤ用画像データが形成され、画像データが入力された液晶パネル１３が外光によって照明される。
【００２９】
ＬＣＤ自動切り替えモードで、外光の明るさが閾値β未満である場合には、画像データのＲＧＢ値は予め定められた値に調節されてＬＣＤ用画像データが形成され、ＬＣＤ用画像データは液晶パネル１３に入力される。液晶パネル１３にＬＣＤ用画像データが入力されると、ＣＰＵ３７の命令により消灯していた白色ＬＥＤ４８が点灯し、液晶パネル１３に画像が表示される。
【００３０】
ＬＣＤ自動切り替えモードで外光の明るさが閾値α以上である場合は、点灯していた白色ＬＥＤ４８がＣＰＵ３７の命令により消灯し、ＣＰＵ３７で検知された外光の色温度に応じて画像データのＲＧＢ値が設定されてＬＣＤ用画像データが形成される。ＬＣＤ用画像データが入力された液晶パネル１３は外光によって照明されて画像が表示される。
【００３１】
なお、上記の実施形態では外光の色温度に基づいて画像データのＲ値とＢ値とを調節してホワイトバランスが補正された画像を液晶パネル１３に表示したが、輝度データＹと２つの色差データＣｂ，Ｃｒとからなる画像データのうち、Ｃｂ，Ｃｒの値を調整してカラーバランスが補正された画像を液晶パネルに表示してもよい。画像データのＲＧＢ値を基に所定の演算を行ってＹを求め、算出された輝度データＹとＲ値とから色差データＣｂが求められ，輝度データＹとＢ値から色差データＣｒが求められる。ＹＣｂＣｒ形式で形成された画像データはメディアコントローラを介して記録メディアに記録される。ＣＰＵによって検知された外光の色温度に応じて色差データＣｂ，ＣｒがＤＳＰで補正されてＬＣＤ用画像データが形成され、液晶パネル１３には色差データＣｂ，Ｃｒが調節された画像データが入力される。液晶パネル１３に入力された画像データは外光によって照明されて画像が表示される。
【００３２】
また、上記の実施形態では色温度情報をＣＰＵに入力する色温度検知センサを導光板の端に設けたが、ＣＣＤイメージセンサから出力される画像信号から外光の色温度を検知してもよい。図８にＣＣＤイメージセンサから出力される画像信号を基にして検知された外光の色温度に応じて画像データのカラーバランスを補正するデジタルカメラの部分ブロック図を示す。ＣＣＤイメージセンサ７５から入力される画像信号からＣＰＵ３７では外光の色温度が測定され、ＤＳＰ３６は測定された色温度に基づいてＳＤＲＡＭ３９に一時的に記憶された画像データのカラーバランスを調節してＬＣＤ用画像データを形成する。形成されたＬＣＤ用画像データは液晶パネル１３に入力され、液晶パネル１３は外光によって照明される。このようにＣＣＤイメージセンサを利用して外光の色温度を検知することでデジタルカメラの部品点数を省いてデジタルカメラをよりコンパクトにすることができる。
【００３３】
また、上記の実施形態ではＣＰＵ３７にＤＳＰ３６が含まれており、このＤＳＰ３６にっよって画像データのＲＧＢ値を画素毎に補正したが、これ以外の方法によって画像データを補正してもよい。例えば、ＤＳＰの替わりにルックアップデータテーブル（以下、ＬＵＴ）とＣＰＵとを用いて画像データを補正してもよい。例えば、蛍光灯、太陽光、夕日、朝日などの色温度に対応して画像データを補正するためのＬＵＴをデジタルカメラに備えられたＲＯＭに予め記録しておき、検知された外光の色温度に応じてＲＯＭからＬＵＴを読み出して画像データを補正する。このような方式では高価なＤＳＰを用いることなく画像データのカラーバランスを補正することができるためデジタルカメラのコストを低減することができる。
【００３４】
また、上記の実施形態ではデジタルカメラを例示したが、本発明はこれに限らない。例えば、ＣＣＤイメージセンサを備えたカメラ付き携帯電話に本発明を実施してもよい。これにより利便性がより高められた携帯電話を提供することができる。
【図面の簡単な説明】
【００３５】
【図１】本発明を実施したデジタルカメラの斜視図である。
【図２】デジタルカメラのブロック図である。
【図３】液晶パネルを液晶パネルと垂直な平面で切断した概略的な断面図である。
【図４】液晶パネルに表示された照明モードの選択画面を示す平面図である。
【図５】画像データのカラーバランスの補正について説明する部分ブロック図である。
【図６】自動切り替えモードについて説明するフローチャートである。
【図７】デジタルカメラの作用を説明するフローチャートである。
【図８】ＣＣＤイメージセンサからの画像信号によって色温度を検知して画像データのカラーバランスの補正を行うデジタルカメラの部分ブロック図である。
【符号の説明】
【００３６】
２    デジタルカメラ
１３    液晶パネル
３６    ＤＳＰ
３７    ＣＰＵ
３９    ＳＤＲＡＭ
４８    白色ＬＥＤ
５０    ビデオインタ−フェース
５１    色温度検知センサ
５３    輝度センサ
６２    導光板
【図１】
2005130325.tif 000003
【図２】
2005130325.tif 000004
【図３】
2005130325.tif 000005
【図４】
2005130325.tif 000006
【図５】
2005130325.tif 000007
【図６】
2005130325.tif 000008
【図７】
2005130325.tif 000009
【図８】
2005130325.tif 000010